(57)【特許請求の範囲】
【請求項１】
被支持体を回動可能に支持するための支持部材であって、
前記被支持体の一部と嵌まり合うための嵌合部材が突設された回動支持部材と、
前記回動支持部材と互いに嵌まり合う固定支持部材と、
前記回動支持部材と前記固定支持部材とに隣接して配置されて、前記固定支持部材に対する前記回動支持部材の回動を所定範囲に規制する回動ストッパ部材と、を備え、
前記回動支持部材と前記固定支持部材は、互いに嵌まり合ってケースを形成し、前記回動ストッパ部材を前記ケース内に収納していることを特徴とする、支持部材。
【請求項２】
前記回動ストッパ部材は交換可能に設けられている、請求項１記載の支持部材。
【請求項３】
前記回動ストッパ部材は、前記ケース内に設けられた凹部と、前記凹部内に収容されるストッパピンと、を有することを特徴とする、請求項１又は２記載の支持部材。
【請求項４】
前記ケース内に設けられると共に、前記凹部を画定するコア部を備え、
前記コア部は、前記回動支持部材とは別体であることを特徴とする、請求項３記載の支持部材。
【請求項５】
前記凹部内に配置され、前記ストッパピンと当接するスペーサを備えることを特徴とする、請求項３又は４記載の支持部材。
【発明の詳細な説明】
【技術分野】
【０００１】
本発明は、劇場・講堂等の連結椅子の背裏に取付けて使用したり、椅子の前方で幕板支柱等に取付けて使用したり、小椅子の背裏に取付けて使用したりする、回動収納式のテーブルに関するものである。
【背景技術】
【０００２】
この種の回動収納式テーブルは、椅子への着席者が出入りする際や椅子の列と列の間を通り抜ける際に邪魔にならないようにテーブル本体を回動させて収納し、使用時にはテーブル本体を手元近くに位置させて使い勝手を良くする回動構造を具えており、従来の回動収納式テーブルでは、安全性を確保したり外観を整えたりするために、テーブル本体の側部や背面等をパネルやカバーで覆ってその複雑な回動構造を隠すのが通例であった（特許文献１参照）。
【０００３】
また簡易なタイプの回動収納式テーブルでは、回動構造が外部に現れて無骨な外観となったり、その回動構造のテーブル本体ストッパ部に指や手が触れ易くて安全性がやや低いものとなったりしていた（特許文献２参照）。
【先行技術文献】
【特許文献】
【０００４】
【特許文献１】特開２０００−１７７４６７号公報
【特許文献２】特開２００３−２００７６９号公報
【発明の開示】
【発明が解決しようとする課題】
【０００５】
それゆえ本発明は、椅子への着席者が出入りする際や椅子の列と列の間を通り抜ける際に邪魔にならないようにテーブル本体を回動させて収納し、使用時にはテーブル本体を手元近くに位置させて使い勝手を良くする回動構造を具える回動収納式テーブルであって、しかも外観が美麗で、シンプルな構造で、安全性を高く備えた回動収納式テーブルを提供することを目的としている。
【課題を解決するための手段】
【０００６】
本発明は、上記課題を有利に解決するためになされたものであり、本発明の支持部材は、被支持体を回動可能に支持するための支持部材であって、前記被支持体の一部と嵌まり合うための嵌合部材が突設された回動支持部材と、前記回動支持部材と互いに嵌まり合う固定支持部材と、前記回動支持部材と前記固定支持部材とに隣接して配置されて、前記固定支持部材に対する前記回動支持部材の回動を所定範囲に規制する回動ストッパ部材と、を備え、前記回動支持部材と前記固定支持部材は、互いに嵌まり合ってケースを形成し、前記回動ストッパ部材を前記ケース内に収納していることを特徴とする。また、本発明の支持部材は、例えば回動収納式テーブルに使用することによって好適に実施することができる。
【発明の効果】
【０００７】
かかる回動収納式テーブルにあっては、使用の際には、上下方向に延在する収納姿勢にあるテーブル本体の上端部を上方および手前側に引くと、ガイドレールに沿って嵌合部材が相対移動するように嵌合部材に対してガイドレールひいてはテーブル本体が上昇するとともに、嵌合部材ひいてはそれを突設された回動支持部材が固定支持部材に対し、ガイドレールの延在方向と直交するとともにテーブル本体と平行に延在するテーブル回動軸線周りに、テーブル本体の手前端部が下がるように回動することで、テーブル本体が上昇しながら手前側へ伸びて倒れ、テーブル本体が水平方向または傾斜方向に延在する使用姿勢まで倒れると回動ストッパ部材により、固定支持部材に対する回動支持部材のテーブル回動軸線周りの回動が規制されて、テーブル本体がその使用姿勢で支持される。
【０００８】
また収納の際には、水平方向または傾斜方向に延在する使用姿勢にあるテーブル本体の手前端部を上方および前方へ押すと、ガイドレールに沿って嵌合部材が相対移動するように嵌合部材に対してガイドレールひいてはテーブル本体が奥側へ移動するとともに、嵌合部材ひいてはそれを突設された回動支持部材が固定支持部材に対し、ガイドレールの延在方向と直交するとともにテーブル本体と平行に延在するテーブル回動軸線周りに、テーブル本体の手前端部が上がるように回動することで、テーブル本体が下降しながら奥側に立ち、テーブル本体が上下方向に延在する収納姿勢まで立つと回動ストッパ部材により、固定支持部材に対する回動支持部材のテーブル回動軸線周りの回動が規制されて、テーブル本体がその収納姿勢で支持される。
【０００９】
そしてその回動収納式テーブルは、上記のようにして椅子への着席者が出入りする際や椅子の列と列の間を通り抜ける際に邪魔にならないようにテーブル本体を回動させて収納し、使用時にはテーブル本体を手元近くに位置させて使い勝手を良くする回動構造が、テーブル本体の側部に設けたガイドレールと、そのガイドレールに嵌まり合う嵌合部材を突設された回動支持部材と、その回動支持部材を支持する固定支持部材と、それら回動支持部材と固定支持部材とに隣接して配置された回動ストッパ部材とを具えるので、その回動構造が、人が手を出す必要がないテーブル本体の片側または両側の側方に纏まって位置する。
【００１０】
従って、本発明の回動収納式テーブルによれば、椅子への着席者が出入りする際や椅子の列と列の間を通り抜ける際に邪魔にならないように回動収納され、使用時には手元近くに位置して使い勝手を良くする回動収納式テーブルを、回動構造がコンパクトに纏まるゆえ外観が美麗で、シンプルな構造で、安全性を高く備えたものとすることができる。
【００１１】
なお、本発明の回動収納式テーブルにおいては、前記回動支持部材と前記固定支持部材とが互いに嵌まり合って蓋付きのケースを形成し、前記回動ストッパ部材が前記ケース内に収容されていても良く、このようにすれば回動収納式テーブルを、さらに外観が美麗で、シンプルな構造で、安全性を高く備えたものとすることができる。
【００１２】
また、本発明の回動収納式テーブルにおいては、前記回動ストッパ部材が交換可能に設けられていても良く、このようにすれば、回動ストッパ部材による固定支持部材に対する回動支持部材のテーブル回動軸線周りの回動の規制位置を、寸法等の異なる回動ストッパ部材への交換によって容易に変更し得て、テーブル本体の使用姿勢および収納姿勢を容易に変更することができる。
【００１３】
さらに、本発明の回動収納式テーブルにおいては、前記テーブル本体が前記ガイドレール内に、前記テーブル本体の収納姿勢で前記嵌合部材と当接して前記テーブル本体の下降高さを規制する収納ストッパ手段を有していても良く、このようにすれば、その収納ストッパ手段を調節することで、収納姿勢でのテーブル本体の高さを容易に変更することができる。
【００１４】
さらに、本発明の回動収納式テーブルにおいては、前記収納ストッパ手段が、弾性部材やガスショックアブソーバ等の、前記嵌合部材との当接による衝撃を吸収するものであっても良く、このようにすれば、テーブル本体を収納姿勢にする際に騒音の発生を防止し得て、回動収納式テーブルの高級感を高めることができる。
【００１５】
さらに、本発明の回動収納式テーブルにおいては、前記テーブル本体支持部が、前記回動支持部材と前記固定支持部材とに隣接して配置されて前記テーブル本体を前記使用姿勢から前記収納姿勢へ向けて回動附勢する、コイルスプリング等の収納回動附勢手段を有していても良く、このようにすれば、外観が美麗で、シンプルな構造で、安全性を高く備えるという特徴を維持しつつ、テーブル本体を容易に使用姿勢から収納姿勢へ回動させ得るようにすることができる。
【００１６】
さらに、本発明の回動収納式テーブルにおいては、前記テーブル本体支持部が、前記ガイドレールに沿う前記嵌合部材の移動に抵抗を与えてその移動速度を遅くする抵抗手段を有していても良く、このようにすれば、テーブル本体を収納姿勢にする際に移動速度を遅くして騒音の発生を防止し得て、回動収納式テーブルの高級感を高めることができる。
【図面の簡単な説明】
【００１７】
【図１】（ａ），（ｂ）および（ｃ）は、本発明の回動収納式テーブルの一実施例をテーブル本体が収納姿勢にある状態で示す平面図、側面図および正面図である。
【図２】（ａ），（ｂ），（ｃ）および（ｄ）は、上記実施例の回動収納式テーブルの、図１（ｃ）ではテーブル本体の右側部に位置する片側のテーブル本体支持部を、二つのテーブル本体支持部の代表として、テーブル本体が収納姿勢の状態で示す正面図、側面図、平面図および、図２（ａ）中のＡ−Ａ線に沿う断面図である。
【図３】（ａ），（ｂ），（ｃ）および（ｄ）は、テーブル本体と半組立て状態のガイドレールとを例示する正面図、側面図および、図３（ａ）中のＢ−Ｂ線並びにＤ−Ｄ線にそれぞれ沿う断面図である。
【図４】（ａ），（ｂ），（ｃ），（ｄ）および（ｅ）は、回動ケースおよび支持ベース周りの構成例を示す平面図、正面図、側面図、図４（ａ）中のＥ−Ｅ線に沿う断面図および図４（ｂ）中のＦ−Ｆ線に沿う断面図である。
【図５】（ａ），（ｂ），（ｃ），（ｄ）および（ｅ）は、回動ケースの一例を示す平面図、正面図、側面図および、図５（ｂ）中のＧ−Ｇ線並びにＨ−Ｈ線にそれぞれ沿う断面図である。
【図６】（ａ），（ｂ）および（ｃ）は、支持ベースの一例を示す平面図、正面図および側面図である。
【図７】（ａ），（ｂ）および（ｃ）は、スペーサの一例を示す平面図、正面図および側面図である。
【図８】（ａ），（ｂ）および（ｃ）は、スペーサの他の例を示す平面図、正面図および側面図である。
【図９】（ａ），（ｂ），（ｃ），（ｄ）および（ｅ）は、回動ケースの他の一例を示す平面図、正面図、側面図および、図９（ｂ）中のＩ−Ｉ線並びにＪ−Ｊ線にそれぞれ沿う断面図である。
【図１０】（ａ），（ｂ）および（ｃ）は、支柱へのテーブル本体支持部の支持方法の一例を示す平面図、正面図および側面図である。
【図１１】（ａ），（ｂ）および（ｃ）は、椅子の背裏に設けられた二個のブラケットへのテーブル本体支持部の支持方法の一例を示す平面図、正面図および側面図である。
【図１２】（ａ），（ｂ）および（ｃ）は、支柱へのテーブル本体支持部の支持方法の他の一例を示す平面図、正面図および側面図である。
【図１３】（ａ），（ｂ）および（ｃ）は、椅子の背裏に設けられた二個のブラケットへのテーブル本体支持部の支持方法の他の一例を示す平面図、正面図および側面図である。
【図１４】（ａ）〜（ｇ）は、支柱に支持されたこの実施例の回動収納式テーブルの作動をそれぞれ異なる段階で示す説明図である。
【図１５】（ａ）および（ｂ）は、この実施例の回動収納式テーブルを例えば二人掛けの連結椅子の前方に位置する幕板の両側部を支持する二本の支柱間に配置した例を示す平面図および側面図である。
【図１６】（ａ）および（ｂ）は、この実施例の回動収納式テーブルを例えば二人掛けの連結椅子の列の前側の連結椅子の背裏に設けた二個のブラケット間に配置した例を示す平面図および側面図である。
【発明を実施するための最良の形態】
【００１８】
以下、本発明の実施の形態を実施例によって、図面に基づき詳細に説明する。ここに、図１（ａ），（ｂ）および（ｃ）は、本発明の回動収納式テーブルの一実施例をテーブル本体が収納姿勢にある状態で示す平面図、側面図および正面図であり、図中符号１で示すこの実施例の回動収納式テーブルは、例えば椅子の前方に配置される幕板Ｗの両側部を支持する二本の支柱Ｐの間に設けることができるもので、矩形の平板状の一枚のテーブル本体２と、そのテーブル本体２が、例えば水平方向に延在する図示しない使用姿勢と、上下方向に延在する図示の収納姿勢との間で回動可能なように、そのテーブル本体２の左右両側部をそれぞれ支持する二つのテーブル本体支持部３とを具えている。
【００１９】
上記実施例の回動収納式テーブルの二つのテーブル本体支持部３は、互いに同一の構成を具えており、図２（ａ），（ｂ），（ｃ）および（ｄ）は、上記実施例の回動収納式テーブルの、図１（ｃ）ではテーブル本体２の右側部に位置する片側のテーブル本体支持部３を、二つのテーブル本体支持部３の代表として、テーブル本体２が収納姿勢の状態で示す正面図、側面図、平面図および、図２（ａ）中のＡ−Ａ線に沿う断面図である。ここで、テーブル本体支持部３は、テーブル本体２の側部に沿って延在するガイドレール４と、そのガイドレール４と嵌まり合ってそのガイドレール４に沿う移動を案内される、嵌合部材としての二本のガイドピン５と、それらのガイドピン５を突設された、回動支持部材としての回動ケース６と、その回動ケース６を、ガイドレール４の延在方向と直交するとともにテーブル本体２と平行に延在するテーブル回動軸線Ｃ周りに回動可能に支持する、固定支持部材としての支持ベース７と、支持ベース７に対する回動ケース６のテーブル回動軸線Ｃ周りの回動を所定範囲に規制する回動ストッパ部材としての、支持ベース７に一体に突設された二本のストッパピン８、それら回動ケース６と支持ベース７とに隣接するよう回動ケース６内に設けられて二本のストッパピン８と当接するコア部９、および二本のストッパピン８とコア部９との間に介在する一組のスペーサ１０とを有している。
【００２０】
図３（ａ），（ｂ），（ｃ）および（ｄ）は、テーブル本体２と半組立て状態のガイドレール４とを例示する正面図、側面図および、図３（ａ）中のＢ−Ｂ線並びにＤ−Ｄ線にそれぞれ沿う断面図であり、テーブル本体２は、一般的には合板の表面に化粧板を貼って形成するが、軽量化のためにガイドレール４の取付け部のみを剛性構造として、内部を空洞にしたり内部にハニカムコア材などを充填したりしても良い。またガイドレール４は、略Ｃ形の断面形状を有するものであり、例えば軽合金の押し出し成形品や鋼板の折り曲げ加工品のほか、高強度の合成樹脂成形品でも良く、テーブル本体２を例えば軽合金や高強度合成樹脂にして、ガイドレール４をそのテーブル本体２との一体成形品にしても良い。なお、図３は、ガイドピン５の組み込みが容易なように、ガイドレール４の一端部（図では上端部）を開放した半組立て状態にした例を示し、ガイドレール４内へのガイドピン５の組込み後は、図２に示すように、収納ストッパ手段としての収納ストッパ１１をガイドレール４内に嵌め入れてから、ガイドレール４の上記端部をレールエンド４ａで閉じる。
【００２１】
収納ストッパ１１は、テーブル本体２を掴んで操作し易いように、収納状態のテーブル本体２の上端が回動軸線Ｃよりやや離れて上方に位置するようにするものであり、その長さでテーブル本体２の収納高さを設定する。収納ストッパ１１は、レールエンド４ａの内方端を延長して構成しても良いが、やや弾性を備えた合成樹脂などでガイドピン５との衝突音を減らすとか、積極的にメカニカルダンパやガスダンパに置き換えて緩衝する等の機能を付加する場合は、この実施例のようにレールエンド４ａとは別体で設けたほうが、各種テーブル重量に適応させるのに都合がよい。
【００２２】
図４（ａ），（ｂ），（ｃ），（ｄ）および（ｅ）は、回動ケース６および支持ベース７周りの構成例を示す平面図、正面図、側面図、図４（ａ）中のＥ−Ｅ線に沿う断面図および図４（ｂ）中のＦ−Ｆ線に沿う断面図、また図５（ａ），（ｂ），（ｃ），（ｄ）および（ｅ）は、回動ケース６の一例を示す平面図、正面図、側面図および、図５（ｂ）中のＧ−Ｇ線並びにＨ−Ｈ線にそれぞれ沿う断面図、そして図６（ａ），（ｂ）および（ｃ）は、支持ベース７の一例を示す平面図、正面図および側面図であり、ガイドピン５と回動ケース６とは回動ケースユニットを構成し、ガイドレール４の内面をスライドするガイドピン５は、回動ケース６と一体に成形してもよいが、よりスムーズな動きにするなどのためには、この実施例のように別体のローラー式ピンにすると好ましい。一方、二本のガイドピン５の代わりに、ガイドレール４の内面に嵌り合って摺動する図示しない一本の細長い、または複数本の短いスライドブロックを設け、その摺動抵抗でテーブル本体２の移動を適宜に制動するようにしても良い。
【００２３】
回動ケース６は、その中央穴６ａで支持ベース７の中央軸部７ａと嵌まり合って支持ベース７に回動軸線Ｃ周りに回動可能に支持されるとともに、その中央穴６ａに挿通されて中央軸部７ａに螺着された留めネジ１２で支持ベース７に対し外れ止めされる。そして回動ケース６内は、回動軸線Ｃ周りに互いに１８０度ずれて位置する二つの円弧状凹部９ａを形成するように上記コア部９が略鼓形に形成され、それらの円弧状凹部９ａは、支持ベース７の二本のストッパピン８を収容するとともに、それらのストッパピン８の、回動軸線Ｃ周りの略９０度の揺動を可能にする。
【００２４】
図７（ａ），（ｂ）および（ｃ）は、スペーサ１０の一例を示す平面図、正面図および側面図であり、スペーサ１０は、回動ケース６の二つの円弧状凹部９ａ内にそれぞれ、コア部９の、ストッパピン８と当接する部分を緩衝する目的で設けられる。回動ケース６は、内部にコア部９を有するために、軽合金ダイキャストや高強度合成樹脂インジェクション成形品などからなることが望ましい。またスペーサ１０は、例えばやや弾性を備えた合成樹脂製として、円弧状凹部９ａ内に嵌め合わせる。
【００２５】
上記のようにスペーサ１０を設けるのは、テーブル１の用途によってテーブル本体２の回動角度範囲を変更する場合に、回動ケース６全体の型を新規に準備する代わりに部分的なスペーサ１０のみの型の変更で対応した方が経済的でありまた調整がし易いためでもあり、図８（ａ），（ｂ）および（ｃ）は、スペーサ１０の他の例を示す平面図、正面図および側面図である。この例のスペーサ１０は、図７に示すものとはストッパピン８が当接する部分のみの厚み形状を変更し、テーブル本体２の回動角度範囲を変更している。
【００２６】
なお、本実施例では各スペーサ１０を左右対称形に設定してあるので、一組のスペーサ１０を図示例のように別体にする代わりに図示しないが互いにつなげて一体に成形しても良く、このようにしても左右のテーブル本体支持部３に共用にすることが可能である。
【００２７】
図９（ａ），（ｂ），（ｃ），（ｄ）および（ｅ）は、回動ケース６の他の一例を示す平面図、正面図、側面図および、図９（ｂ）中のＩ−Ｉ線並びにＪ−Ｊ線にそれぞれ沿う断面図であり、この例のように、回動ケース６とコア部９とを別体する一方、回動ケース６にスペーサ１０の形状を一体化させることで、部品構成をシンプルにしても良い。
【００２８】
図１０（ａ），（ｂ）および（ｃ）は、支柱Ｐへのテーブル本体支持部３の支持方法の一例を示す平面図、正面図および側面図であり、ここでは支持ベース７を支柱Ｐに取付けることで、テーブル本体支持部３を支柱Ｐに支持している。また、図１１（ａ），（ｂ）および（ｃ）は、椅子の背裏に設けられた二個のブラケットＢＲへのテーブル本体支持部３の支持方法の一例を示す平面図、正面図および側面図であり、ここでは支持ベース７をブラケットＢＲに取付けることで、テーブル本体支持部３を図示しない椅子の背に支持している。
【００２９】
図１２（ａ），（ｂ）および（ｃ）は、支柱Ｐへのテーブル本体支持部３の支持方法の他の一例を示す平面図、正面図および側面図であり、ここでは支持ベース７を支柱Ｐに取付ける代わりに、中央軸部７ａと二本のストッパピン８とを溶接や一体成形によって支柱Ｐに直接突設することで、テーブル本体支持部３を支柱Ｐに支持している。また、図１３（ａ），（ｂ）および（ｃ）は、椅子の背裏に設けられた二個のブラケットＢＲへのテーブル本体支持部３の支持方法の他の一例を示す平面図、正面図および側面図であり、ここでは支持ベース７をブラケットＢＲに取付ける代わりに、中央軸部７ａと二本のストッパピン８とを溶接や一体成形によってブラケットＢＲに直接突設することで、テーブル本体支持部３を図示しない椅子の背に支持している。なお、各種の取付け条件で安定的に支持構造を実現するには、図１０，１１に示すように、一旦、支持ベース７と回動ケース６とをユニットとして組み立ててから、支柱ＰやブラケットＢＲにセットしたほうが、可動範囲の精度や外観品質を高めることが容易である。
【００３０】
以下、ユニット構成の例を基本としてこの実施例の回動収納式テーブル１の作動を説明する。図１４（ａ）〜（ｇ）は、支柱Ｐに支持されたこの実施例の回動収納式テーブル１の作動をそれぞれ異なる段階で示す説明図であり、図１４（ａ）はテーブル本体２の収納姿勢、図１４（ｇ）はテーブル本体２の使用姿勢をそれぞれ示している。図示のように、この実施例の回動収納式テーブル１にあっては、使用の際には、図１４（ａ）に示すように上下方向に延在する収納姿勢にあるテーブル本体２の上端部を手で持って上方および手前側（図では右方）に引くと、図１４（ｂ），（ｃ）に示すようにガイドレール４に沿ってガイドピン５が相対移動するようにガイドピン５に対してガイドレール４ひいてはテーブル本体２が上昇するとともに、図１４（ｄ）〜（ｆ）に示すようにガイドピン５ひいてはそれを突設された回動ケース６が支持ベース７に対し、ガイドレール４の延在方向と直交するとともにテーブル本体２と平行に延在するテーブル回動軸線Ｃ周りに、テーブル本体２の手前端部（図では上端部）が下がるように回動することで、テーブル本体２が上昇しながら手前側に伸びて倒れ、図１４（ｇ）に示すようにテーブル本体２が水平方向に延在する使用姿勢まで倒れると、二本のストッパピン８がコア部９に、一組のスペーサ１０の各々の一端部を介して当接し、支持ベース７に対する回動ケース６のテーブル回動軸線Ｃ周りの回動が規制されて、テーブル本体２がその使用姿勢で支持される。
【００３１】
また収納の際には、上記と逆に、図１４（ｇ）に示すように水平方向に延在する使用姿勢にあるテーブル本体２の手前端部（図では右端部）を上方および奥側（図では左方）へ押すと、図１４（ｄ）〜（ｆ）に示すようにガイドレール４に沿ってガイドピン５が相対移動するようにガイドピン５に対してガイドレール４ひいてはテーブル本体２が奥側へ移動するとともに、ガイドピン５ひいてはそれを突設された回動ケース６が支持ベース７に対し上記テーブル回動軸線Ｃ周りに、テーブル本体２の手前端部（図では右端部）が上がるように回動することで、図１４（ｂ），（ｃ）に示すようにテーブル本体２が下降しながら奥側に立ち、図１４（ａ）に示すようにテーブル本体２が上下方向に延在する収納姿勢まで立つと二本のストッパピン８がコア部９に、一組のスペーサ１０の各々の他端部を介して当接し、支持ベース７に対する回動ケース６のテーブル回動軸線Ｃ周りの回動が規制されて、テーブル本体2がその収納姿勢で支持される。
【００３２】
図１５（ａ）および（ｂ）は、この実施例の回動収納式テーブル１を例えば二人掛けの連結椅子ＪＣの前方に位置する幕板Ｗの両側部を支持する二本の支柱Ｐ間に配置した例を示す平面図および側面図であり、また、図１６（ａ）および（ｂ）は、この実施例の回動収納式テーブル１を例えば二人掛けの連結椅子ＪＣの列の前側の連結椅子ＪＣの背裏に設けた二個のブラケットＢＲ間に配置した例を示す平面図および側面図であり、図１５，１６の何れにおいても、図中実線で示す座Ｓおよびテーブル本体２はそれぞれ着座位置および使用姿勢にあり、図中仮想線で示す座Ｓおよびテーブル本体２はそれぞれ収納位置および収納姿勢にある。
【００３３】
これら図１５，１６から明らかなように、この実施例の回動収納式テーブル１は、前述のようにして椅子ＪＣへの着席者が出入りする際や椅子ＪＣの列と列の間を通り抜ける際に邪魔にならないようにテーブル本体２を回動させて収納し、使用時にはテーブル本体２を着座者の手元近くに位置させて使い勝手を良くする回動構造としてのテーブル本体支持部３を具えており、そのテーブル本体支持部３が、テーブル本体２の側部に設けたガイドレール４と、そのガイドレール４に嵌まり合うガイドピン５を突設された回動ケース６と、その回動ケース６を支持する支持ベース７と、それら回動ケース６と支持ベース７とに隣接して配置されたストッパピン８、コア部９およびスペーサ１０とを具えるので、その回動構造が、人が手を出す必要がないテーブル本体２の両側の側方に纏まって位置する。なお、図１６に仮想線で示すように、テーブル本体２の収納姿勢は、鉛直に延在するものでなく例えば背裏に沿うように多少傾斜していても良く、同様に、テーブル本体２の使用姿勢も、水平に延在するものでなく手前側が下がるように多少傾斜していても良い。
【００３４】
従って、この実施例の回動収納式テーブル１によれば、椅子への着席者が出入りする際や椅子の列と列の間を通り抜ける際に邪魔にならないように回動収納され、使用時には手元近くに位置して使い勝手を良くする回動収納式テーブルを、回動構造がコンパクトに纏まるゆえ外観が美麗で、シンプルな構造で、安全性を高く備えたものとすることができる。
【００３５】
また、この実施例の回動収納式テーブル１によれば、回動ケース６と支持ベース７とが互いに嵌まり合って蓋付きのケース（回動ケース６がケース本体、支持ベース７が蓋に相当）を形成し、ストッパピン８、コア部９およびスペーサ１０がそのケース内に収容されているので、回動収納式テーブルをさらに外観が美麗で、シンプルな構造で、安全性を高く備えたものとすることができる。
【００３６】
さらに、この実施例の回動収納式テーブル１によれば、回動ストッパ部材を構成するスペーサ１０が交換可能に設けられていることから、支持ベース７に対する回動ケース６のテーブル回動軸線Ｃ周りの回動の規制位置を、図８に示す如き寸法等の異なるスペーサ１０への交換によって容易に変更し得て、テーブル本体２の使用姿勢および収納姿勢を容易に変更することができる。
【００３７】
さらに、この実施例の回動収納式テーブル１によれば、テーブル本体２がガイドレール４内に、テーブル本体２の収納姿勢でガイドピン５と当接してーブル本体２の下降高さを規制する収納ストッパ１１を有しているので、その収納ストッパ１１の長さや弾性力等を調節することで、収納姿勢でのテーブル本体２の高さを容易に変更することができる。
【００３８】
なお、この実施例の回動収納式テーブル１において、収納ストッパ１１を、ゴムや軟質合成樹脂等からなる弾性部材やガスショックアブソーバ等の、ガイドピン５との当接による衝撃を吸収するものとすれば、テーブル本体２を収納姿勢にする際に騒音の発生を防止し得て、回動収納式テーブル１の高級感を高めることができる。
【００３９】
また、この実施例の回動収納式テーブル１においては、テーブル本体支持部３が、回動ケース６と支持ベース７とに隣接して配置されてテーブル本体２を使用姿勢から収納姿勢へ向けて常時回動附勢し、図１４（ｆ），（ｇ）に示す姿勢ではテーブル本体２の自重と釣り合って安定し、テーブル本体２を図１４（ｅ）に示すようにそれより持ち上げるとテーブル本体２の重心の奥側への移動に伴いテーブル本体２を収納姿勢へ向けて回動させる、コイルスプリング等の収納回動附勢手段を有するものとすれば、外観が美麗で、シンプルな構造で、安全性を高く備えるという特徴を維持しつつ、テーブル本体２を容易に使用姿勢から収納姿勢へ回動させ得るようにすることができる。
【００４０】
さらに、この実施例の回動収納式テーブル１においては、テーブル本体支持部３が、ガイドレール４に沿う嵌合部材の移動に抵抗を与えてその移動速度を遅くする抵抗手段として、ガイドレール４に沿う摺動抵抗でテーブル本体２の移動を適宜に制動する前述のスライドブロックや、ガイドレール４に沿うラックと噛合するピニオンを設けたガイドピン５およびそのガイドピン５の回動に抵抗を与える通常のロータリダンパ等を有していても良く、このようにすれば、テーブル本体２を収納姿勢にする際に移動速度を遅くして騒音の発生を防止し得て、回動収納式テーブル１の高級感を高めることができる。
【００４１】
以上、図示例に基づき説明したが、本発明は上述の実施例に限定されるものでなく、特許請求の範囲の記載範囲内で適宜変更することができるものであり、例えば、テーブル本体２の厚さ方向のガイドレール４の幅または、テーブル本体２の左右方向のガイドレール４の厚みを上記実施例のものより大きくするとともに、そのガイドレール４と対応させてガイドピン５等の嵌合部材を大きくしてテーブル本体２を片持ちできるようにして、テーブル本体支持部３をテーブル本体２の片側だけに設けるようにしても良い。また、固定支持部材の方をカップ状にするとともに回動支持部材をベース状にして互いに回動可能に嵌め合せても良い。さらに、テーブル本体２の形状も、少なくともガイドレール４を設ける端部が直線状であれば良く、例えば着座者に近い側の端部が着座者を囲む凹曲線状をなす等、他の端部が曲線状であっても良い。そして、本発明の回動収納式テーブルは、椅子と組合せて使用する場合に限られず、壁面等に単独で設けて使用しても良い。
【産業上の利用可能性】
【００４２】
かくして本発明の回動収納式テーブルによれば、テーブルの使用時にはテーブル本体を着座者の前方に位置する使用状態にし得るとともにテーブルの不使用時や人の通過時などにはテーブル本体を椅子の座の側方に位置するテーブル受けの下方に収納し得る回動収納式テーブルを、主としてテーブル受けとテーブル軸受けとテーブル本体との三つの部品で構成することができるので、テーブルの回動収納構造をシンプルかつコンパクトにし得て、コストを削減し、かつ外観を煩雑でない美麗なものとすることができる。
【符号の説明】
【００４３】
１  回動収納式テーブル
２  テーブル本体
３  テーブル本体支持部
４  ガイドレール
４ａ  レールエンド
５  ガイドピン
６  回動ケース
６ａ  中央穴
７  支持ベース
７ａ  中央軸部
８  ストッパピン
９  コア部
９ａ  円弧状凹部
１０  スペーサ
１１  収納ストッパ
１２  留めネジ
ＢＲ  ブラケット
Ｃ  回動軸線
ＪＣ  連結椅子
Ｐ  支柱
Ｓ  座
Ｗ  幕板
【図１】
0005346068.tif 000002
【図２】
0005346068.tif 000003
【図３】
0005346068.tif 000004
【図４】
0005346068.tif 000005
【図５】
0005346068.tif 000006
【図６】
0005346068.tif 000007
【図７】
0005346068.tif 000008
【図８】
0005346068.tif 000009
【図９】
0005346068.tif 000010
【図１０】
0005346068.tif 000011
【図１１】
0005346068.tif 000012
【図１２】
0005346068.tif 000013
【図１３】
0005346068.tif 000014
【図１４】
0005346068.tif 000015
【図１５】
0005346068.tif 000016
【図１６】
0005346068.tif 000017